(57)【要約】【課題】バックラッシュの影響を除去し、動作精度が高いレンズ駆動ユニットを提供する。【解決手段】レンズ駆動ユニット１０は、レンズを保持する可動ホルダ１６と、可動ホルダ１６の光軸方向への移動をガイドするガイドレール１４及びガイドシャフト１５と、可動ホルダ１６を光軸方向に付勢する圧縮バネ１７と、圧縮バネ１７の付勢力により可動ホルダ１６と当接し、回転により可動ホルダ１６の位置を移動するカム１９と、カム１９に出力軸１８ａを連結されてカム１９に回転力を与えるステッピングモータ１８と、を備える。【選択図】図２
2008181607.tif 000002
【特許請求の範囲】
【請求項１】
複数の光源と、
前記光源から出射される光を光記録媒体の記録層に集光する対物レンズと、
前記光源と前記対物レンズとの間に配置される光学レンズと、
前記光学レンズを移動してその位置調整を可能とするレンズ駆動ユニットと、
を備える光ピックアップ装置において、
前記レンズ駆動ユニットは、
前記光学レンズを保持する可動ホルダと、
前記可動ホルダの前記光軸方向の移動をガイドするガイド手段と、
前記可動ホルダを前記光軸方向へ付勢する付勢手段と、
前記付勢手段の付勢力により前記可動ホルダと当接し、回転により前記可動ホルダの位置を移動するカムと、
前記カムに出力軸を連結されて前記カムに回転力を与えるモータと、
を有し、
前記光学レンズは、前記光源から出射される波長によって決められる少なくとも２つのレンズ設定範囲の間で切り替え配置され、
前記カムは、前記レンズ設定範囲に近づくと前記カムの回転角変化に対する前記可動ホルダの位置の変化率が小さくなり、前記レンズ設定範囲間の略中間域では前記カムの回転角変化に対する前記可動ホルダの位置の変化率が大きくなるように、その形状を形成されることを特徴とする光ピックアップ装置。
【請求項２】
レンズをその光軸方向に移動して前記レンズの位置調整を可能とするレンズ駆動ユニットにおいて、
前記レンズを保持する可動ホルダと、
前記可動ホルダの前記光軸方向への移動をガイドするガイド手段と、
前記可動ホルダを前記光軸方向へ付勢する付勢手段と、
前記付勢手段の付勢力により前記可動ホルダと当接し、回転により前記可動ホルダの位置を移動するカムと、
前記カムに出力軸を連結されて前記カムに回転力を与える回転出力手段と、
を備えることを特徴とするレンズ駆動ユニット。
【請求項３】
前記レンズは少なくとも２つのレンズ設定範囲の間で切り替えて配置され、
前記カムは、前記レンズ設定範囲に近づくと前記カムの回転角変化に対する前記可動ホルダの位置の変化率が小さくなり、前記レンズ設定範囲間の略中間域では前記カムの回転角変化に対する前記可動ホルダの位置の変化率が大きくなるように、その形状を形成されることを特徴とする請求項２に記載のレンズ駆動ユニット。
【請求項４】
請求項２又は３に記載のレンズ駆動ユニットを備えることを特徴とする光ピックアップ装置。
【請求項５】
複数の光源と、前記光源から出射される光を光記録媒体の記録層に集光する対物レンズと、前記光源と前記対物レンズとの間に配置され、前記レンズ駆動ユニットによって光軸方向に移動可能とされる光学レンズと、を備え、
前記レンズ設定範囲には、前記光源から出射される光の波長によって決められる前記光学レンズの設定範囲が含まれることを特徴とする請求項４に記載の光ピックアップ装置。
【請求項６】
複数の記録層を有する光記録媒体に対応し、
光源と、前記光源から出射される光を光記録媒体の記録層に集光する対物レンズと、前記光源と前記対物レンズとの間に配置され、前記レンズ駆動ユニットによって光軸方向に移動可能とされる光学レンズと、を備え、
前記レンズ設定範囲には、前記記録層毎に決められる前記光学レンズの設定範囲が含まれることを特徴とする請求項４に記載の光ピックアップ装置。
【発明の詳細な説明】
【技術分野】
【０００１】
本発明は、レンズの位置を移動して位置調整を可能とするレンズ駆動ユニットに関する。また、本発明は、レンズ駆動ユニットを備える光ピックアップ装置に関する。
【背景技術】
【０００２】
コンパクトディスク（以下、ＣＤという。）やデジタル多用途ディスク（以下、ＤＶＤという。）といった光記録媒体が普及している。更に、近年、光記録媒体の情報量を増やすために、光記録媒体の高密度化に関する研究が進められ、例えば、高品位のＤＶＤであるＨＤ−ＤＶＤやブルーレイディスク（以下、ＢＤという。）といった高密度化された光記録媒体も実用化され始めている。
【０００３】
このような光記録媒体からの情報の読み取り、光記録媒体への情報の書き込みは、光ピックアップ装置を用いて行われる。そして、近年では、上述のように複数種類の光記録媒体が存在するために、複数種類の光記録媒体を互換する光ピックアップ装置の開発が盛んに行われている。
【０００４】
ところで、ＣＤ、ＤＶＤ、ＢＤ等の光記録媒体は、記録層を保護する透明カバー層の厚みが異なる。例えば、ＣＤではその厚みは１．２ｍｍで、ＤＶＤでは０．６ｍｍ、ＢＤでは０．１ｍｍである。このように透明カバー層の厚みが異なる光記録媒体を互換する光ピックアップ装置においては、球面収差の発生が問題となる。
【０００５】
また、特にＢＤ等の高密度記録をターゲットとする光記録媒体においては、光記録媒体の厚み方向に複数の記録層を有する光記録媒体の開発が盛んに行われている。このような記録層を複数有する光記録媒体について、光ピックアップ装置を用いて情報の読み取り等を行う場合、記録層の位置によって透明カバー層の厚みが異なるために、球面収差の発生が問題となる。
【０００６】
このため、従来、光ピックアップ装置の光学系にビームエキスパンダを配置して球面収差の補正を行ったり、光ピックアップ装置の光学系中に配置されるコリメータレンズの位置を光軸方向に移動して球面収差の補正を行ったりしている。
【０００７】
図４は、コリメータレンズの位置を光軸方向に移動するレンズ駆動ユニットの従来の構成を示す概略平面図である。従来のレンズ駆動ユニット１００においては、コリメータレンズ１０１を保持する可動ホルダ１０２は、２本のガイドシャフト１０３に摺動可能に支持されている。また、可動ホルダ１０２にはリードナット１０４が取り付けられており、このリードナット１０４にはスクリュ１０５が噛合されている。スクリュ１０５はステッピングモータ１０６によって回転可能に設けられている。このため、ステッピングモータ１０６によってスクリュ１０５が回転されると、可動ホルダ１０２がスクリュ１０５の回転方向にしたがってガイドシャフト１０３を摺動し、コリメータレンズ１０１の位置が移動される。そして、コリメータレンズ１０１の位置を調整することにより、球面収差を適切に補正する。
【０００８】
また、特許文献１には、球面収差の補正を行うために光ピックアップ装置に適用されるビームエキスパンダ装置の構成が紹介されている。特許文献１に紹介されるビームエキスパンダ装置では、カム面が形成される駆動ギアの回転制御によって、レンズ保持体に固定された摺動軸を押圧して、レンズ保持体とともにレンズを進退させる構成となっている。そして、エキスパンダレンズ装置の可動レンズの位置を調整することで球面収差の補正を行う。
【特許文献１】特開２００４−７７７０５号公報
【発明の開示】
【発明が解決しようとする課題】
【０００９】
しかしながら、上述したコリメータレンズの位置を光軸方向に移動するレンズ駆動ユニットや特許文献１に示されるビームエキスパンダ装置の場合、スクリュとリードナット間又はギア間に存在する遊びのために、バックラッシュの影響が問題となる。すなわち、バックラッシュによってレンズ駆動ユニットにおける動作精度が低下してレンズが適正な位置に配置されず、球面収差の補正が不十分となり、光ピックアップ装置における情報の書き込みや読み取りの品質が低下するという問題があった。
【００１０】
以上の問題点を鑑みて、本発明の目的は、バックラッシュの影響を除去し、動作精度が高いレンズ駆動ユニットを提供することである。また、本発明の他の目的は、動作精度が高いレンズ駆動ユニットを備えることにより、情報の読み取りや書き込みの品質が高い光ピックアップ装置を提供することである。
【課題を解決するための手段】
【００１１】
上記目的を達成するために本発明は、複数の光源と、前記光源から出射される光を光記録媒体の記録層に集光する対物レンズと、前記光源と前記対物レンズとの間に配置される光学レンズと、前記光学レンズを移動してその位置調整を可能とするレンズ駆動ユニットと、を備える光ピックアップ装置において、前記レンズ駆動ユニットは、前記光学レンズを保持する可動ホルダと、前記可動ホルダの前記光軸方向の移動をガイドするガイド手段と、前記可動ホルダを前記光軸方向へ付勢する付勢手段と、前記付勢手段の付勢力により前記可動ホルダと当接し、回転により前記可動ホルダの位置を移動するカムと、前記カムに出力軸を連結されて前記カムに回転力を与えるモータと、を有し、前記光学レンズは、前記光源から出射される波長によって決められる少なくとも２つのレンズ設定範囲の間で切り替え配置され、前記カムは、前記レンズ設定範囲に近づくと前記カムの回転角変化に対する前記可動ホルダの位置の変化率が小さくなり、前記レンズ設定範囲間の略中間域では前記カムの回転角変化に対する前記可動ホルダの位置の変化率が大きくなるように、その形状を形成されることを特徴としている。
【００１２】
また、上記目的を達成するために本発明は、レンズをその光軸方向に移動して前記レンズの位置調整を可能とするレンズ駆動ユニットにおいて、前記レンズを保持する可動ホルダと、前記可動ホルダの前記光軸方向への移動をガイドするガイド手段と、前記可動ホルダを前記光軸方向へ付勢する付勢手段と、前記付勢手段の付勢力により前記可動ホルダと当接し、回転により前記可動ホルダの位置を移動するカムと、前記カムに出力軸を連結されて前記カムに回転力を与える回転出力手段と、を備えることを特徴としている。
【００１３】
また、本発明は、上記構成のレンズ駆動ユニット装置において、前記レンズは少なくとも２つのレンズ設定範囲の間で切り替えて配置され、前記カムは、前記レンズ設定範囲に近づくと前記カムの回転角変化に対する前記可動ホルダの位置の変化率が小さくなり、前記レンズ設定範囲間の略中間域では前記カムの回転角変化に対する前記可動ホルダの位置の変化率が大きくなるように、その形状を形成されることを特徴としている。
【００１４】
また、本発明は、上記構成のレンズ駆動ユニットを備える光ピックアップ装置であることを特徴としている。
【００１５】
また、本発明は、上記構成の光ピックアップ装置において、複数の光源と、前記光源から出射される光を光記録媒体の記録層に集光する対物レンズと、前記光源と前記対物レンズとの間に配置され、前記レンズ駆動ユニットによって光軸方向に移動可能とされる光学レンズと、を備え、前記レンズ設定範囲には、前記光源から出射される光の波長によって決められる前記光学レンズの設定範囲が含まれることを特徴としている。
【００１６】
また、本発明は、上記構成の光ピックアップ装置において、複数の記録層を有する光記録媒体に対応し、光源と、前記光源から出射される光を光記録媒体の記録層に集光する対物レンズと、前記光源と前記対物レンズとの間に配置され、前記レンズ駆動ユニットによって光軸方向に移動可能とされる光学レンズと、を備え、前記レンズ設定範囲には、前記記録層毎に決められる前記光学レンズの設定範囲が含まれることを特徴としている。
【発明の効果】
【００１７】
本発明の第１の構成によれば、光ピックアップ装置が備えるレンズ駆動ユニットは、可動ホルダの移動時にギアやスクリュ等を用いず、モータによって回転力を直接与えられるカムの回転によって可動ホルダの位置を移動する構成である。このため、バックラッシュに起因する動作精度の低下を除去でき、高い動作精度を得ることが可能となる。従って、光ピックアップ装置の情報の読み取りや書き込み品質を高いレベルとできる。また、カムの形状により、レンズ設定範囲に近づくと可動ホルダの移動速度が遅くなり、レンズ設定範囲間の略中間域では可動ホルダの移動速度が速くなるようになっているために、位置調整が行われる光学レンズの位置設定を高精度としつつ、レンズ位置の切り替えに要する時間を短時間とできる。
【００１８】
また、本発明の第２の構成によれば、可動ホルダの移動時にギアやスクリュ等を用いず、回転出力手段によって回転力を直接与えられるカムの回転によって可動ホルダの位置を移動する構成である。このため、バックラッシュに起因する動作精度の低下を除去でき、高い動作精度を得ることが可能となる。
【００１９】
また、本発明の第３の構成によれば、上記第２の構成のレンズ駆動ユニットにおいて、レンズ位置を切り替える際に、レンズの位置設定を高精度としつつ、レンズ位置の切り替えに要する時間を短時間とできる。
【００２０】
また、本発明の第４の構成によれば、上記第２又は第３の構成のレンズ駆動ユニットを備える光ピックアップ装置であるために、光ピックアップ装置の光学系中に移動可能に配置される光学レンズの位置設定を高精度とできる。このため、光ピックアップ装置の情報の読み取りや書き込み品質を高いレベルとできる。
【００２１】
また、本発明の第５の構成によれば、上記第４の構成の光ピックアップ装置において、複数種類の光記録媒体を互換する場合に発生する球面収差の補正を適切に行える。
【００２２】
また、本発明の第６の構成によれば、上記第４の構成の光ピックアップ装置において、複数の記録層を有する光記録媒体の再生や記録を行う場合に発生する球面収差の補正を適切に行える。
【発明を実施するための最良の形態】
【００２３】
以下に本発明の実施形態を、図面を参照しながら説明する。なお、ここで示す実施形態は一例であり、本発明はここに示す実施形態に限定されるものではない。
【００２４】
図１は、本発明のレンズ駆動ユニットを備える光ピックアップ装置１の光学系の構成を示す概略図である。本実施形態の光ピックアップ装置１は、ＢＤ／ＤＶＤ／ＣＤの３種類の光ディスク（光記録媒体）を互換可能に設けられている。光ピックアップ装置１は、第１光源２と、第２光源３と、ダイクロプリズム４と、ビームスプリッタ５と、コリメータレンズ６と、立ち上げミラー７と、対物レンズ８と、光検出器９と、を備える。
【００２５】
第１光源２は、２種類の波長のレーザ光を出射できるように２つの発光点を有する２波長対応のレーザダイオードで、ＣＤ用に用いられる波長７８０ｎｍ帯（赤外波長）のレーザ光と、ＤＶＤ用に用いられる波長６５０ｎｍ帯（赤色波長）のレーザ光と、を出射する。第２光源３は、単一の波長を出射するレーザダイオードで、ＢＤ用に用いられる波長４０５ｎｍ帯（青色波長、厳密には青紫色であるが青色と表現する）のレーザ光を出射する。第１光源２及び第２光源３を出射したレーザ光は、ダイクロプリズム４に送られる。
【００２６】
なお、本実施形態においては、ＣＤ用及びＤＶＤ用のレーザ光を、２波長対応のレーザダイオードを用いて出射する構成としているが、それぞれ単一の波長を出射する２つのレーザダイオードを用いて出射する構成としても構わない。
【００２７】
ダイクロプリズム４は、第１光源２から出射されたレーザ光を透過し、第２光源３から出射されたレーザ光を反射する。なお、第１光源２と第２光源３とは、ダイクロプリズム４を通過した後のレーザ光の光軸が略同一となるようにその位置が調整されている。ダイクロプリズム４を通過したレーザ光は、ビームスプリッタ５に送られる。
【００２８】
ビームスプリッタ５は、第１光源２又は第２光源３から出射されたレーザ光を反射して光ディスク３０側に導くとともに、光ディスク３０の記録層３０ａからの反射光を透過して光検出器９側へと導く。第１光源２又は第２光源３から出射され、ビームスプリッタ５を透過したレーザ光はコリメータレンズ６へと送られる。
【００２９】
コリメータレンズ６は、その位置を光軸方向に移動可能に設けられる。コリメータレンズ６を光軸方向に移動可能に設ける理由は、光ディスク３０の記録層３０ａを保護する透明カバー層３０ｂの厚みの違いに起因して発生する球面収差を、コリメータレンズ６の光軸方向の位置を調整することで補正するためである。なお、コリメータレンズ６はレンズ駆動ユニット１０に搭載されることによって、その位置を光軸方向への移動して調整可能とされているが、レンズ駆動ユニット１０の詳細については後述する。コリメータレンズ６を透過したレーザ光は、立ち上げミラー７へと送られる。
【００３０】
立ち上げミラー７は、コリメータレンズ６から送られてきたレーザ光を反射して、光ディスク３０のディスク面と略直交する方向とする。
【００３１】
対物レンズ８は、入射したレーザ光を光ディスク３０の記録層３０ａに集光する。この対物レンズ８は、アクチュエータ２０に搭載されており、対物レンズ８位置における光軸方向と平行な方向であるフォーカス方向と、光ディスク３０の半径方向と平行な方向であるトラッキング方向と、に移動可能とされている。そして、これにより対物レンズ８は、そのフォーカス位置が常に記録層３０ａに合うように、また、対物レンズ８によって集光されるレーザ光のスポット位置が光ディスク３０に形成されるトラックに追従するようにその位置を調整される。アクチュエータ２０の構成は、電磁力作用によって対物レンズ８を保持するレンズホルダを動かす周知の構成であるために、ここではその詳細は省略する。
【００３２】
光ディスク３０で反射された反射光は、対物レンズ８を透過後立ち上げミラー７で反射され、コリメータレンズ６、ビームスプリッタ５の順に透過して光検出器９に集光する。なお、コリメータレンズ６の移動により、反射光の集光位置が変動する。このために、光検出器９の手前に、例えば液晶等で形成される焦点位置補正素子を配置して１つの光検出器９のみを配置する構成としても良いし、光検出器９を焦点位置の数に合せて複数とする構成等としても構わない。
【００３３】
光検出器９は、図示しない受光領域で受光した光信号を電気信号へと変換する役割を果たす。そして、光検出器９からの電気信号は、情報を再生するための再生信号や、対物レンズ８のフォーカス調整やトラッキング調整を行うためのフォーカスエラー信号やトラッキングエラー信号等として利用される。
【００３４】
次に、コリメートレンズ６を搭載するレンズ駆動ユニット１０について、図２を参照しながら説明する。図２は、本実施形態のレンズ駆動ユニット１０の構成を示す概略図で、図２（ａ）はレンズ駆動ユニット１０の構成を示す概略斜視図、図２（ｂ）はレンズ駆動ユニット１０の構成を示す概略平面図である。
【００３５】
レンズ駆動ユニット１０は、ユニットベース１１と、ガイドシャフト支持部１２、１３と、ガイドレール１４と、ガイドシャフト１５と、可動ホルダ１６と、圧縮バネ１７と、ステッピングモータ１８と、カム１９と、を備える。ユニットベース１１は平面視略Ｌ字状に形成され、レンズ駆動ユニット１０を構成する部品を支持する役割を果たす。このユニットベース１１は図示しない光ピックアップ装置１のピックアップベースに固定される。
【００３６】
ガイドシャフト支持部１２、１３は矩形板状に形成され、ユニットベース１１の光軸方向の両端部に対向配置される。本実施形態においては、ガイドシャフト支持部１２、１３はユニットベース１を折り曲げ形成して成る。また、ガイドシャフト支持部１２、１３には、それぞれ、レーザ光が通過できるように貫通孔１２ａ、１３ａが形成されている。
【００３７】
ユニットベース１１の上面には、光軸方向と平行な方向に延びる略直方体形状のガイドレール１４が形成されている。ガイドシャフト１５は略円柱状の棒状部材から成り、光軸方向と平行な方向に延び、その両端がガイドシャフト支持部１２、１３に固定されている。
【００３８】
可動ホルダ１６は、ガイドシャフト支持部１２、１３の間に配置される。可動ホルダ１６には、その略中央部分に略円形状の貫通孔が形成されており、この部分はレンズを保持するレンズ保持部１６ａとして機能する。本実施形態においては、レンズ保持部１６ａには、コリメータレンズ６が保持されている。
【００３９】
また、可動ホルダ１６の上部側の一方の端部にはガイドシャフト１５を貫通する貫通孔１６ｂが設けられる。また、可動ホルダ１６の下部中央付近には、可動ホルダ１６がガイドレール１４に沿って案内されるように案内溝１６ｃが設けられる。可動ホルダ１６は、ガイドレール１４及びガイドシャフト１５に沿って、摺動可能となっている。
【００４０】
また、可動ホルダ１６の上部側の貫通孔１６ｂが形成される部分と反対側においては、腕部１６ｄが延出しており、腕部１６ｄの先端にはカム１９の方向に突出する突出部１６ｅが形成されている。ガイドシャフト１５の可動ホルダ１６とガイドシャフト支持部１３との間の部分には、圧縮バネ１７が挿通されており、これにより可動ホルダ１６はガイドシャフト支持部１２側に付勢されている。このため、可動ホルダ１６の突出部１６ｅはカム１９と当接する。
【００４１】
なお、本実施形態では、圧縮バネ１７を用いて可動ホルダ１６をガイドシャフト支持部１２側に付勢する構成としているが、これに限らず、例えば板バネ、ねじりコイルバネ、引張りバネ等の他の付勢手段を用いても構わない。
【００４２】
ベース１１には、図示しない制御回路によってその回転を制御されるステッピングモータ１８が、その出力軸１８ａが鉛直方向上向きに向くように配置されている。ステッピングモータ１８の出力軸１８ａは、カム１９と連結されており、カム１９はステッピングモータ１８の回転とともに回転する。なお、本実施形態においては、レンズ駆動ユニット１０が備えるモータをステッピングモータとしているが、これに限定される趣旨ではなく、例えばＤＣモータ等を用いる構成等としても構わない。
【００４３】
本実施形態においては、カム１９は図２（ｂ）の矢印Ａに示す回転角の範囲内で回転する。ここで、図２（ｂ）は、可動ホルダ１６に保持されるコリメータレンズ６が最もガイドシャフト支持部１３に近づいた状態であり、カム１９は、この状態から時計回り方向に１８０°の範囲内で、時計回り方向又は反時計周り方向に適宜回転する。そして、カム１９の回転に合せて、可動ホルダ１６は図２（ｂ）の矢印Ｂの方向（光軸方向）に移動する。
【００４４】
図３は、本実施形態のレンズ駆動ユニット１０における、カム１９の回転角（横軸）とコリメータレンズ６の位置（縦軸）との関係を示したグラフである。図３において、回転角０°は、コリメータレンズ６が最もガイドシャフト支持部１３に近づいた状態におけるカム１９の位置（すなわち図２のカム１９の位置）が該当し、コリメータレンズ６の変位はこの状態におけるコリメータレンズ６の位置を基準として測定した距離である。
【００４５】
図３に示すように、カム１９の回転角を０°から１８０°へと変化させた場合、曲線の傾き（図３に示す曲線をカムの回転角で微分した値が相当）がカム１９の回転角によって異なることがわかる。すなわち、カム１９の回転角が小さい側と大きい側に近づくと、カム１９の回転角変化に対するコリメータレンズ６の位置の変化率が小さくなり、カム１９の回転角が０°〜１８０°の略中間域では、カム１９の回転角変化に対するコリメータレンズ６の位置の変化率が特に大きくなっている。
【００４６】
本実施形態の光ピックアップ装置１においては、上述のように、コリメータレンズ６の位置を調整することで球面収差の補正が可能となっている。そして、ＣＤ又はＤＶＤに対応するために第１光源２から赤色又は赤外波長のレーザ光を出射する場合には、図３に示すように、コリメータレンズ６の変位が小さい側にレンズ設定範囲を有する。一方、ＢＤに対応するために第２光源３から青色波長のレーザ光を出射する場合には、図３に示すように、コリメータレンズ６の変位が大きい側にレンズ設定範囲を有する。
【００４７】
従って、コリメータレンズ６の各レンズ設定範囲に近づくと、カム１９の回転角変化に対するコリメータレンズ６の位置の変化率が小さくなり、コリメータレンズ６のレンズ設定範囲間の略中間域ではカム１９の回転角変化に対するコリメータレンズ６の位置の変化率が大きくなるように、カム１９の形状が形成されていることとなる。
【００４８】
このように、カム１９の形状を決定した場合、光軸方向の位置調整が行われるコリメータレンズ６の設定を高分解能で行えるために、コリメータレンズ６の位置調整が正確となる。一方で、コリメータレンズ６の移動領域のうち、コリメータレンズ６の位置の切り替え時にのみ使用する領域では、コリメータレンズ６の移動速度を速くできるために、コリメータレンズ６の設定位置の切り替えに要する時間を短縮できる。
【００４９】
また、本実施形態のレンズ駆動ユニット１０によれば、ギアやスクリュを用いないでレンズの位置を調整する構成のために、バックラッシュに起因する挙動誤差を防止できる。更に、ステッピングモータ１８の出力軸１８ａがレンズの駆動方向に対して垂直となるために、ステッピングモータ１８を従来の横置きではなく縦置きとでき、ユニットベース１１の小型化を図れる。
【００５０】
なお、カム１９の形状は図２に示した本実施形態の形状に限定されず、レンズ設定範囲に近づくとカムの回転角変化に対する可動ホルダ１６（又はレンズ）の位置の変化率が小さくなり、レンズ設定範囲間の略中間域ではカムの回転角変化に対する可動ホルダ１６（又はレンズ）の位置の変化率が大きくなるように、カムの形状が形成されていれば、その形状はいずれでも構わない。
【００５１】
また、以上に示した本実施形態においては、異なる種類の光ディスク３０を互換する場合に発生する球面収差の補正を、レンズ駆動ユニット１０を用いてコリメータレンズ６の位置を調整することにより行う構成とした。しかし、これに限定されず、例えば、レンズ駆動ユニット１０の可動ホルダ１６に例えば凸レンズを保持させ、ガイドシャフト支持部１２の貫通孔１２ａの部分に凹レンズを保持させる構成とし、レンズ駆動ユニット１０をビームエキスパンダとして機能させて球面収差を補正する構成としても、もちろん構わない。
【００５２】
また、透明カバー層の厚みの違いによる球面収差は、複数の記録層を有する光ディスク３０の再生や記録を行う場合にも発生するために、このような球面収差を補正するために本発明のレンズ駆動ユニットを適用しても、もちろん構わない。
【００５３】
その他、本実施形態においては、本発明のレンズ駆動ユニットを光ピックアップ装置に適用する場合を示した。しかし、本発明のレンズ駆動ユニットは、レンズの位置を移動調整する機構が必要な光学系を有する光学装置に広く適用可能であり、例えば、照明装置、カメラ等に適用可能である。
【産業上の利用可能性】
【００５４】
本発明のレンズ駆動ユニットによれば、バックラッシュの影響を低減してレンズの位置調整を精度良く行える。また、レンズ駆動ユニットの小型化も可能である。従って、レンズの位置を移動調整する機構が必要な光学系を有する光学装置に広く適用可能である。
【図面の簡単な説明】
【００５５】
【図１】は、本発明のレンズ駆動ユニットを備える光ピックアップ装置の光学系の構成を示す概略図である。
【図２】は、本実施形態の光ピックアップ装置が備えるレンズ駆動ユニットの構成を示す概略図である。
【図３】は、本実施形態のレンズ駆動ユニットにおける、カムの回転角とコリメータレンズの位置との関係を示すグラフである。
【図４】は、従来のレンズ駆動ユニットの構成を示す概略平面図である。
【符号の説明】
【００５６】
１            光ピックアップ装置
２            第１光源
３            第２光源
６            コリメータレンズ（光学レンズ）
８            対物レンズ
１０          レンズ駆動ユニット
１４          ガイドレール（ガイド手段）
１５          ガイドシャフト（ガイド手段）
１６          可動ホルダ
１７          圧縮バネ（付勢手段）
１８          ステッピングモータ（回転出力手段）
１９          カム
３０          光記録媒体
３０ａ        記録層
【図１】
2008181607.tif 000003
【図２】
2008181607.tif 000004
【図４】
2008181607.tif 000005
【図３】
2008181607.tif 000006